(57)【要約】      （修正有）【課題】新幹線、在来線、自動車、飛行機などの座席に取り付けてあるテーブルにおいて、主に飲料水ペットボトル、飲料アルミ缶を走行中の振動、加速に起因する外力からの転倒を防止する転倒防止シートを提供する。【解決手段】シリコーンゴムシート４を概ね穴明きドーナツ形状に切り出し、ペットボトル、アルミ缶２等に対応し、該飲料容器下部に本発明転倒防止シートを装着させ、またテーブルにも当該シートのドーナツ状円周部分で密着させる。本シートは、飲料容器に対する密着性が良い事もさることながら、テーブルに対しても密着性が良く、密閉された空気溜まり空間１が吸盤の原理で飲料容器に水平方向の外力がかると、本シートがより大きくテーブルに大気圧で押さえつけられる事になり、より強く転倒防止を実現する事が可能となった。【選択図】図１
2015040079.tif 000002
【特許請求の範囲】
【請求項１】
シリコーンゴムシートを概ね穴明きドーナツ形状に切り出し、飲料ペットボトル、アルミ缶等に対し、該飲料容器下部を本発明転倒防止シート中心部穴に装着し密着させ、更に当該シートのドーナツ状円周部分をテーブルに密着させるシリコーンゴムシートは、飲料容器に対する密着性が良い事もさることながら、テーブルに対しても密着性が良く、より強く転倒防止を実現する事が可能となる事を特徴とする転倒防止シート。
【請求項２】
本発明の転倒防止シートは、シート厚みが２ミリメートル以下と薄く、シリコーンゴムシートの優れた柔軟性により収納時の折りたたみも容易である事よりコンパクトに収納可能で、且つ持ち運びも簡便であり、洗浄も簡単で乾き易く汚れ難い請求項１の転倒防止シート。
【発明の詳細な説明】
【技術分野】
【０００１】本発明は、新幹線、在来線、自動車、飛行機などの座席に取り付けてあるテーブルにおいて、主に飲料ペットボトル、飲料アルミ缶を走行中の振動、加速に起因する外力からの転倒を防止する事に関するものである。
【背景技術】
【０００２】従来の転倒防止具はゴム、ウレタン、発泡ウレタン等のシートを穴明きドーナツ状に切り出し、転倒防止すべく飲料アルミ缶、スチール缶等の下部に当該転倒防止シートの伸縮性を利用し中心部穴に装着する。
振動や加速による水平方向の力をテーブルとゴム、ウレタン及び発泡ウレタン等間の粘着力とドーナツ状に外側に張り出したゴム、ウレタン及び発泡ウレタン等の重量と更にシートの平面を保持しようとする反発力で容器を支え、転倒を防止してきた。
ゴム、ウレタン又は発泡ウレタンの場合にはテーブルとの密着性が弱く、小さな外力で倒れる場合が多々あった。
また、シート素材が発泡ウレタンの場合には、水分を一旦含むとなかなか乾燥し難いと言う欠点もあり、使用後直ぐの収納には衛生面でも問題が有った。
更に、従前の転倒防止具のゴム、ウレタン及び発泡ウレタン等の転倒防止シートはシート自体の大きさに比べ、シート厚が大きく柔軟性に欠け、折りたたみ収納に不便があった。
【先行技術文献】
【特許文献】
【０００３】
【特許文献１】登録実用新案第３１３５１３６号公報
【発明の概要】
【発明が解決しようとする課題】
【０００４】従前の転倒防止具には次の様な欠点があった。当該転倒防止シートは中心部穴明き部分に装着する際、スチール缶の様に缶底部にスチール缶独特の本体と底部蓋のカシメ部分の突起が有る場合は、当該転倒防止シートとスチール缶は装着固定が容易であったが、近年多くなった底部角の丸いアルミ缶、ペットボトル等には底部突起はなく、また冷却飲料水の場合通常結露で濡れている。その場合には容器と当該転倒防止シートが滑り易く、また当該転倒防止シートはウエットスーツ、ドライスーツ素材の為、小さく切り出したシートにとっては伸縮性が小さく、飲料容器の直径と転倒防止シート中心部穴直径のバランスに因っては、装着が困難な状況が有った。【０００５】登録実用新案第３１３５１３６号公報記載の素材ベースはウエットスーツ、ドライスーツ用ゴム、ウレタン又は発泡ウレタンで有る為、転倒防止用シートに小さく切り出したシートは、目的用途にとっては伸縮性が少なく、当該転倒防止シートは被装着物の直径に合わせた寸法を都度調整する必要があった。
また、当該転倒防止シートが転倒防止に寄与する要素として、当該シート自身の重量と素材の平面を保とうとする反発力に依存する部分が大きく、転倒防止力に不満を感じるところであった。【０００６】また、登録実用新案第３１３５１３６号記載の素材は、転倒防止シートの大きさに較べ、シート厚みが大きく、素材の柔軟性が相対的に低い事で折りたたみ難く、又一般的に使用される発泡ウレタンシートの場合は、多孔質の為に水分を含み易く且つ乾き難く、収納持ち運び保管には不満の残るところであった。
本発明は、以上の様な欠点を無くす為になされたものである。
【課題を解決する為の手段】
【０００７】従前のウエットスーツ、ドライスーツ用ゴム、ウレタン又は発泡ウレタン素材に代わり、シリコーンゴムシートを概ね穴明きドーナツ形状に切り出し、飲料ペットボトル、アルミ缶等に対応し、該飲料容器下部に本発明転倒防止シートを装着させ、またテーブルにも当該シートのドーナツ状円周部分で密着させる。
【０００８】当該シリコーンゴムシートは、飲料容器に対する密着性が良い事もさることながら、テーブルに対しても密着性が良く、［図１］１の密閉された空気溜まり空間は、飲料容器に水平方向の外力がかると、当該空気溜まり空間形状がひずみ、空間体積が大きくなる方向に働き、結果として環境の大気圧より空気溜まり空間圧力がマイナスになり、本発明転倒防止シートが吸盤の原理でより大きくテーブルに大気圧で押さえつけられる事になり、より強く転倒防止を実現する事が可能となる。
【０００９】本発明の転倒防止シートは、シート厚みが１〜１．２ミリメートルと薄く、シリコーンゴムシートの優れた柔軟性により収納時の折りたたみも容易であり、よりコンパクトに収納可能である。
本発明は、以上の構成よりなる転倒防止シートである。
【発明の効果】
【００１０】本発明は、シリコーンゴムシートを穴明きドーナツ形状に切り出し、飲料容器下部に装着する事により、飲料容器例えば、５００ミリリットルから６００ミリリットルペットボトル、３５０ミリリットルアルミ缶、５００ミリリットルアルミロング缶をテーブルに固定する事が可能になり、テーブル上での横滑りは場合に因って可能であるが、当該容器の横倒しにはシリコーンゴムシートとテーブルの密着度が大きく、［図１］１の閉鎖された空間が吸盤の原理にて従前転倒防止シートと比較し機密密着性が大きく改善され、転倒し難くなった。
【００１１】本発明転倒防止シートの使用場面は家庭屋外であり、乗り物での旅行中が主である。
本発明転倒防止シートは優れた柔軟性で小さく折りたたみが可能で収納も持ち運びも簡便であり、当該シートは外観が半透明で清潔感があり、且つシリコーンゴムの本来の特性である、耐油性、耐水性、耐薬品性、撥水性により、汚れ難く洗浄も簡単で乾き易いと言う特性も兼ね備える。
基本の同心円穴開きドーナツ形状だけでなく、例えば好みで最外円周シート部分を連続波形状や小さな連続半円形状、半円形を複数最外円周シート部分に付加し、花の形や動物の顔の形状に切り抜き、見た目に楽しさを演出する事が出来ると言う効果が生まれた。
【図面の簡単な説明】
【００１２】
【図１】アルミ缶装着使用時Ａ−Ａ断面図です。
【図２】本発明品転倒防止シートの平面図です。
【図３】アルミ缶装着時平面図です。
【発明を実施するための形態】
【００１３】以下、本発明の実施形態について説明する。
本発明の転倒防止シートは、概ね穴明きドーナツ状にシートを切り抜いた形状で、当該シートの外径、中心部穴明き直径、厚さは以下に説明をする。
【００１４】材質は、シリコーンゴムシートを使用し、シート厚みは、０．５〜２．０ミリメートルが使用可能で、好ましくは１．５ミリメートルが良い。
ドーナツ状切り抜きは、外周直径１０センチメートルから１５センチメートルで使用可能で、１２センチメートルから１３センチメートルが好ましい。
また、中心部穴直径は、４．５センチメートルから５．５センチメートルで、好ましくは５センチメートルが良い。
【００１５】市販飲料水容器には、３５０ミリリットルアルミ缶及び５００ミリリットルアルミロング缶、５００ミリリットルペットボトル及び６００ミリリットルペットボトルが一般的であるが、そのすべての容器に１種類の中心穴サイズ転倒防止シートで適応可能である。
本発明は以上の様な構造である。
【符号の説明】
【００１６】１    飲料容器とテーブルとシリコーンゴムシートで出来る空気溜空間
２    飲料アルミ缶
３    テーブル面
４    本発明のシリコーンゴムシート
【図１】
2015040079.tif 000003
【図２】
2015040079.tif 000004
【図３】
2015040079.tif 000005